(57)【要約】【課題】簡単な構成で、容易に機器に取り付けられ、確実に転倒を防止することが可能である転倒防止装置及びそれを備えた画像形成装置を提供する。【解決手段】転倒防止装置は、底面１ｂにキャスタ２１が設けられた機器本体１ａを床面に設置するときに床面に一端部３１が当接して、機器本体１ａの側面１ｄに他端部３２が当接する支持脚３０を備え、他端部３２は側面１ｄに着脱自在に取り付けられる。【選択図】図３
2009157152.tif 000002
【特許請求の範囲】
【請求項１】
底面にキャスタが設けられた機器本体を床面に設置するときに該床面に一端部が当接して、前記機器本体の側面に他端部が当接する支持脚を備え、前記他端部は前記側面に着脱自在に取り付けられることを特徴とする転倒防止装置。
【請求項２】
前記側面には突起片が設けられ、前記他端部には前記突起片に案内されるガイド孔が設けられ、前記支持脚の着脱時、前記他端部が前記側面に対面しながら移動自在であることを特徴とする請求項１に記載の転倒防止装置。
【請求項３】
前記突起片は、前記側面から突出する係合部と、前記係合部の先端に前記係合部より大きいサイズで形成されるツバ部とを有し、前記ガイド孔は、前記ツバ部より大きいサイズで形成される着脱孔と、前記係合部に係合する係止部と、前記着脱孔と前記係止部の間で前記係合部を案内するガイド部とを有することを特徴とする請求項２に記載の転倒防止装置。
【請求項４】
前記一端部に前記ガイド孔が設けられることを特徴とする請求項２または請求項３に記載の転倒防止装置。
【請求項５】
請求項１〜請求項４のいずれかに記載の転倒防止装置が搭載された画像形成装置。
【請求項６】
前記側面を覆う外装カバーが設けられることを特徴とする請求項５に記載の画像形成装置。
【発明の詳細な説明】
【技術分野】
【０００１】
本発明は、機器の転倒防止装置及びそれを備えた画像形成装置に関するものである。
【背景技術】
【０００２】
昨今、大規模な地震の発生の影響もあって、転倒の危険を回避するために、オフィスや家庭等に設置される機器や家具の転倒防止対策が広く講じられるようになってきている。建物の床面に設置される機器は底面にキャスタを備えたものがあるが、キャスタを備えた機器は外力を受けたときに転倒し易い。そのために、機器本体の下部の四隅にＬ字形の金具を螺子により固定し、床面に当接するこれらの金具を螺子により固定して、機器本体を支えて機器本体の転倒を回避している。オフィス等で用いられる複写機に代表される画像形成装置等の機器は配置替えの頻度が比較的多いが、その都度機器本体から転倒防止用の金具を外さなければならないので不便である。また、金具を外して機器を所望の位置に移動した後に、金具を再び螺子により取り付けなければならないので、作業が煩わしい。
【０００３】
そこで、機器の転倒防止措置を簡単に講じることができる様々な手法が提案されている。例えば、特許文献１では、底面にキャスタが設けられた機器本体の下部の両側に、機器を建物の床面に設置するときにその床面に一端が当接される支持脚を回動自在に設け、支持脚を床面に当接させる状態にロックするロック機構を設けている。機器を移動設置するには、支持脚を機器本体に収納した状態で、機器を所望の場所に移動させ、機器を所望の場所に移動した後に、支持脚を外側に回動させると、支持脚の先端が床面に当接する。この支持脚の外側への回動動作時に、ロック機構を構成するレバーが支持脚により下方に引っ張られ、レバーに設けた長孔の上端に形成された屈曲孔が機器本体のストッパーピンに係合する。屈曲孔がストッパーピンに係合すると、支持脚の回動運動がロックされることになる。
【０００４】
しかしながら、上述した従来技術では、支持脚の他にレバー、レバーの回動軸及びレバーと支持脚との支軸等の部材が必要となり、ロック機構を構成には部品数が多くなり、またこれらの部品を組み付けるための煩わしい作業により、生産コストが高くなるという不都合があった。また、機器を移動させる場合や、転倒防止装置を必要としない場所に機器を設置する場合のために、機器本体にこれらの支持脚とロック機構を収納するスペースを設けておかなくてはならず、機器が大型になるという不都合があった。
【特許文献１】特開平１１−２８１３０号公報（段落［００１１］−［００１３］、図１）
【発明の開示】
【発明が解決しようとする課題】
【０００５】
本発明は、上記のような課題を解決するためになされたものであり、簡単な構成で、容易に機器に取り付けられ、確実に転倒を防止することが可能である転倒防止装置及びそれを備えた画像形成装置を提供することを目的とする。
【課題を解決するための手段】
【０００６】
上記目的を達成するために本発明は、底面にキャスタが設けられた機器本体を床面に設置するときに該床面に一端部が当接して、前記機器本体の側面に他端部が当接する支持脚を備え、前記他端部は前記側面に着脱自在に取り付けられることを特徴としている。
【０００７】
この構成によれば、他端部で受けた機器の荷重が、床面に当接する一端部により支えられる。また、機器を所望の場所に移動させるときに、支持脚の他端部を側面から着脱自在に取り外す。
【０００８】
また、請求項２に記載の発明では、前記側面には突起片が設けられ、前記他端部には前記突起片に案内されるガイド孔が設けられ、前記支持脚の着脱時、前記他端部が前記側面に対面しながら移動自在であることを特徴としている。この構成によれば、他端部がガイド孔と突起片とにより側面上を案内されて、支持脚が機器本体から着脱される。
【０００９】
また、請求項３に記載の発明では、前記突起片は、前記側面から突出する係合部と、前記係合部の先端に前記係合部より大きいサイズで形成されるツバ部とを有し、前記ガイド孔は、前記ツバ部より大きいサイズで形成される着脱孔と、前記係合部に係合する係止部と、前記着脱孔と前記係止部の間で前記係合部を案内するガイド部とを有することを特徴としている。この構成によれば、支持脚を側面から取り外すには、支持脚のガイド部が係合部に沿うように、他端部を側面上で移動させると、着脱孔がツバ部に対向する位置に至り、この位置で、支持脚は側面から取り外し可能になる。支持脚を側面に取り付けるには、支持脚のツバ部を着脱孔に対向させ、ガイド部を係合部に沿わせて、係止部が係合部に至るまで、他端部を側面上で移動させる。
【００１０】
また、請求項４に記載の発明では、前記一端部に前記ガイド孔が設けられることを特徴としている。この構成によれば、支持脚の一端部と他端部の取り付け方向にこだわることなく、支持脚が側面に取り付けられる。
【００１１】
また、請求項５に記載の発明では、上記の構成の転倒防止装置が搭載された画像形成装であることを特徴としている。
【００１２】
また、請求項６に記載の発明では、画像形成装置において、前記側面を覆う外装カバーが設けられることを特徴としている。この構成によれば、転倒防止装置が装置の外部に露出する部分が少なくなる。
【発明の効果】
【００１３】
請求項１に記載の発明によれば、他端部で受けた機器の荷重が、床面に当接する一端部により支えられるので、簡単な構成で、支持脚により、機器の倒れを防止することができ、また、支持脚の他端部を簡単に側面から着脱自在に取り外すことにより、機器を所望の場所に移動可能になる。
【００１４】
また、請求項２に記載の発明によれば、他端部がガイド孔と突起片とにより側面上を案内されて、支持脚が機器本体から着脱されるので、機器の移動、及び転倒防止装置の設置を簡単に行うことができる。
【００１５】
また、請求項３に記載の発明によれば、支持脚を側面から取り外すには、支持脚のガイド部が係合部に沿うように、他端部を側面上で移動させると、着脱孔がツバ部に対向する位置に至り、この位置で、支持脚は側面から取り外し可能になる。支持脚を側面に取り付けるには、支持脚のツバ部を着脱孔に対向させ、ガイド部を係合部に沿わせて、係止部が係合部に至るまで、他端部を側面上で移動させられるので、簡単な操作により支持脚を機器本体から着脱させることができる。
【００１６】
また、請求項４に記載の発明によれば、支持脚の一端部と他端部の取り付け方向にこだわることなく、支持脚が側面に取り付けられるので、支持脚を機器本体に取り付ける操作性がよい。
【００１７】
また、請求項５に記載の発明によれば、簡単な構成で、容易に機器本体に取り付けられ、確実に転倒を防止することが可能である転倒防止装置を備える画像形成装置にすることができる。
【００１８】
また、請求項６に記載の発明によれば、画像形成装置において、転倒防止装置が装置の外部に露出する部分が少なくなるので、装置の外観を損なうことなく、転倒防止装置を設置することができる。
【発明を実施するための最良の形態】
【００１９】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００２０】
図１は、本発明の画像形成装置１の全体構成を示す概略図である。図１に示すように、画像形成装置１は、デジタル複写機であり、機器本体１ａの下部に配設された給紙部２と、この給紙部２の側方及び上方に配設された用紙搬送部３と、この用紙搬送部３の右方に配設された画像形成部４と、装置の上方に配設された画像読取部５を備えている。
【００２１】
給紙部２は、用紙が収容された複数の給紙カセット６を備えており、給紙ローラ７の回転動作により、給紙カセット６から用紙が用紙搬送部３側に送り出され、用紙が１枚ずつ確実に用紙搬送部３に給紙されるように構成されている。
【００２２】
用紙は用紙搬送部３から画像形成部４に向けて搬送される。この画像形成部４は、電子写真プロセス法によって、用紙に所定のトナー像を形成するものであり、所定の方向（図中の矢印方向）に回転可能に軸支された像担持体である感光体１２と、この感光体１２の周囲にその回転方向に沿って、帯電ユニット１３、現像ユニット１４、転写ユニット１５、クリーニングユニット１６および除電ユニット１７を備えている。
【００２３】
帯電ユニット１３は、感光体１２の表面に所定電位を与えることにより、感光体１２の表面が一様に帯電させられる。そして、画像読取部５により読み取られた原稿の画像データに基づくレーザ走査ユニット１８からのレーザビームにより、感光体１２上に静電潜像が形成される。次いで、現像ユニット１４により、感光体１２上にトナーが供給され、感光体１２の表面にトナー像が形成される。このトナー像が転写ユニット１５により感光体１２と転写ユニット１５との間に供給された用紙に転写される。
【００２４】
トナー像が転写された用紙は、画像形成部４から定着ローラ対１９に向けて搬送される。この定着ローラ対１９は、加熱ローラと加熱ローラに押し付けられる加圧ローラとによって構成され、用紙を加熱ローラと加圧ローラによって挟み込んで加熱して、用紙上にトナー像を定着させる。定着された用紙は、排出ローラ対２０によって用紙排出部４１に排出される。
【００２５】
感光体１２の表面に残留しているトナーは、クリーニングユニット１６により除去され、感光体１２の表面の残留電荷は、除電ユニット１７により除去され、次の画像形成に備える。
【００２６】
図２は、本発明の実施形態にかかる転倒防止装置を取り付けた画像形成装置を概略的に示す斜視図である。
【００２７】
画像形成装置１は、キャスタ２１により床面上に支持されている。キャスタ２１は、機器本体の底面１ｂの四隅に設けられている。画像形成装置１の側面には、床面に当接する支持脚３０が設けられている。支持脚３０は、一つの側面と反対側の側面に各１個配設されるが、一つの側面と反対側の側面に各２固配設するようにしてもよい。また、４つの側面に、支持脚３０を配設するようにしてもよい。
【００２８】
図３は、側面に取り付けた転倒防止装置を示す斜視図である。図３に示すように、画像形成装置１には、機器本体１ａの外側を覆う外装カバー１ｅが設けられ、この外装カバー１ｅと機器本体１ａとの間に形成される空間に支持脚３０が配される。
【００２９】
支持脚３０は、鋼板に絞りや曲げ加工を施され、床面に当接する面を有する一端部３１と、機器本体１ａの側面１ｄに当接する面を有する他端部３２、及び一端部３１と他端部３２に互いに略４５度の傾斜を持って連なる連接部３３を備えて構成される。そして一端部３１、他端部３２及び連接部３３の外周には、床面や側面１ｄと反対側に突出するリブ３４が形成されている。
【００３０】
支持脚３０の他端部３２にはガイド孔３５が形成され、機器本体１ａの側面１ｄには突起片４０が固着され、支持脚３０は、そのガイド孔３５を突起片４０に係合させることより、側面１ｄに取り付けることが可能である。支持脚３０の一端部３１にも、他端部３２と同じ形状のガイド孔３５が形成されている。
【００３１】
図４に基づいて、ガイド孔３５と突起片４０の構成を詳しく説明する。図４は、支持脚を機器本体に取り付けた状態を示し、図４（ａ）はその側面図であり、図４（ｂ）はその断面正面図である。
【００３２】
図４（ａ）及び図４（ｂ）に示すように、突起片４０は、正四角柱体形状をなす係合部４１と、半球形状をなすツバ部４２を備えた鋼材からなる。係合部４１は、その一端が側面１ｄにカシメ等で固着され、その他端がツバ部４２の平坦面４２ａに対向している。ツバ部４２の平坦面４２ａは、その長さが係合部４１の正四角柱の一辺のサイズより大きく、他端部３２の対向する面に当接可能である。
【００３３】
ガイド孔３５は、鍵穴状に形成され、図４（ａ）における左右方向に直線状の長孔３６ａと、長孔３６ａに直交して連なる直線状の長孔３６ｂと、長孔３６ｂに連なる丸い形状の着脱孔３７を備える。長孔３６ａ、３６ｂの幅方向の大きさは、突起片４０の係合部４１が係合可能なように、正四角柱の一辺のサイズよりも大きく、またツバ部４２が他端部３２の対向面に当接可能であるように、ツバ部４２の平坦面４２ａのサイズよりも小さい。着脱孔３７は、平坦面４２ａのサイズよりも大きい。
【００３４】
従って、支持脚３０を機器本体１ａに取り付けるときに、着脱孔３７がツバ部４２に対向するように、支持脚３０を側面１ｄに対面させると、ツバ部４２が着脱孔３７に入って、他端部３２が機器本体１ａに当接し、次に、支持脚３０を図４（ａ）における下方に移動させてから、さらに左方に移動させると、長孔３６ｂが係合部４１に沿って通過し、さらに長孔３６ａが係合部４１に沿って通過して、図４（ａ）に示す長孔３６ａと係合部４１の位置に至る。図４（ａ）、図４（ｂ）に示す状態で、支持脚３０により機器本体１ａの倒れを防止することができる。
【００３５】
図４（ｂ）における右方向への機器本体１ａの倒れに対しては、他端部３２で受けた機器本体１ａの荷重が連接部３３を介して、床面に当接する一端部３１で支えられることになる。このときに、連接部３３を一端部３１及び他端部３２に対して４５度の傾斜を設けていることにより、機器本体１ａから受ける荷重に対して剛性を持たせることができる。また、一端部３１と他端部３２及び連接部３３の周りにリブ３４を設けることにより、機器本体１ａから受ける荷重に対して強度を補強することができる。
【００３６】
一方、図４（ｂ）における左方向への機器本体１ａの倒れに対しては、反対の側面に配設した支持脚３０により、機器本体１ａの荷重を支えることになる。つまり、右方向への機器本体１ａの倒れに対するのと同様に、他端部３２で受けた機器本体１ａの荷重が連接部３３を介して、床面に当接する一端部３１で支える。このときに、他方の側面に固着した突起片４０のツバ部４２により、支持脚３０が突起片４０から外れることを防いでいる。
【００３７】
次に、機器本体１ａを所望の場所に移動させるには、支持脚３０を側面１ｄから取り外す。支持脚３０を側面１ｄから取り外すには、図４（ａ）における支持脚３０を右方向に移動させると、長孔３６ａが係合部４１に沿って通過して、長孔３６ｂと係合部４１が当接する。長孔３６ｂと係合部４１が当接した後に、支持脚３０を上方に移動させて、着脱孔３７がツバ部４２に対向させられると、支持脚３０は側面１ｄから取り外し可能になる。支持脚３０を側面１ｄから取り外して、キャスタ２１を回転させながら機器本体１ａを所望の場所に移動させる。
【００３８】
また、機器本体１ａを所望の場所に移動させるには、図５に示すように、支持脚３０を側面１ｄに収納してもよい。この場合には、係合部４１は円柱状にしておく。支持脚３０を機器本体１ａに収納するには、図４（ａ）と同様に、支持脚３０を右方向に移動させると、長孔３６ａが係合部４１に沿って通過して、長孔３６ｂと係合部４１が当接する。次に、支持脚３０を図４（ａ）における反時計方向に回転させると、支持脚３０は図５に示す位置に至り、この位置で係止保持することになる。また、支持脚３０により機器本体１ａに転倒防止措置を講じる必要がない場所に移動させた場合には、支持脚３０を機器本体１ａから取り外しておくことも可能である。
【００３９】
図６は、別実施形態にかかる転倒防止装置を示す斜視図である。支持脚３０の一端部３１を床面に当接した状態で、一端部３１のガイド孔３５（図３参照）にボルト４５を通して、一端部３１と床面をボルト４５により締結すると、機器本体が床面に強固に取り付けられる。この場合には、機器本体の一つの側面にのみ支持脚３０を設けるように構成することができる。
【００４０】
図７は、さらに別実施形態にかかる転倒防止装置を示す斜視図である。支持脚３０の一端部３１のガイド孔３５（図３参照）に吸盤４６を配設して、この吸盤４６が床面に吸引して、吸盤４６を介して、一端部３１が床面に当接することにより、機器本体が床面に強固に取り付けられる。
【００４１】
図８は、さらに別実施形態にかかる転倒防止装置の突起片４０の構成を示し、図８（ａ）はその断面正面図であり、図４（ｂ）はその側面図ある。突起片４０が弾性を有する材料で形成され、突起片４０のツバ部４２には、その左右方向（図８（ｂ）参照）に延びる断面Ｖ字状の溝を有するスリット４３が形成されている。係合部４１は、円柱状形状であり、支持脚３０の他端部３２に形成したガイド孔３５に係合している。ガイド孔３５は、スリット４３の溝と同方向に延びる長孔である。支持脚３０を側面１ｄから取り外すには、スリット４３の溝を塞ぐようよう挟みながら他端部３２を側面１ｄから引き寄せると、ツバ部４２は、弾性によりガイド孔３５の孔幅より小さくなり、ガイド孔３５から抜けて、他端部３２が側面１ｄから離接する。支持脚３０を側面１ｄから取り付けるには、長孔３６にツバ部４２に宛がって他端部３２を側面１ｄ側に押し付けると、長孔３６は、ツバ部４２の弾性により半球状のツバ部４２を小さく縮めながら乗り越えて、係合部４１に係合する。尚、係合部４１は円柱形状に替えて四角柱形状でもよく、またガイド孔３５は長孔に替えて丸孔でもよい。
【００４２】
上記実施形態によると、転倒防止装置は、底面１ｂにキャスタ２１が設けられた機器本体１ａを床面に設置するときに床面に一端部３１が当接して、機器本体１ａの側面１ｄに他端部３２が当接する支持脚３０を備え、他端部３２は側面１ｄに着脱可能に取り付けられる。
【００４３】
この構成によると、支持脚３０が機器本体１ａに取り付けられていると、他端部３２で受けた機器本体１ａの荷重が、床面に当接する一端部３１で支えられるので、簡単な構成で、支持脚３０により、機器本体１ａの倒れを防止することができ、また支持脚３０の他端部３２を側面１ｄから着脱自在に簡単に取り外すことにより、機器本体１ａを所望の場所に移動可能になる。
【００４４】
また、上記実施形態によると、側面１ｄには突起片４０が設けられ、他端部３２には突起片４０に案内されるガイド孔３５が設けられ、前記支持脚３０の着脱時、他端部３２が側面１ｄに対面しながら移動自在であることによって、他端部３２がガイド孔３５と突起片４０とにより側面１ｄ上を案内されて、支持脚３０が機器本体１ａから着脱されるので、機器本体１ａの移動、及び転倒防止装置の設置を簡単に行うことができる。
【００４５】
また、上記実施形態によると、突起片４０は、側面１ｄから突出する係合部４１と、この係合部４１の先端に係合部４１より大きいサイズで形成されるツバ部４２とを有し、ガイド孔３５は、ツバ部４２より大きいサイズで形成される着脱孔３７と、係合部４１に係合する長孔３６ａ（係止部）と、着脱孔３７と長孔３６ａ（係止部）の間で係合部４１を案内する長孔３６ｂ（ガイド部）とを有する。
このことによって、支持脚３０を側面１ｄから取り外すには、長孔３６ｂ（ガイド部）が係合部４１に沿うように、他端部３２を側面１ｄ上で移動させると、着脱孔３７がツバ部４２に対向する位置に至り、この位置で、支持脚３０は側面１ｄから取り外し可能になる。支持脚３０を側面１ｄに取り付けるには、ツバ部４２を着脱孔３７に対向させ、長孔３６ｂ（ガイド部）を係合部４１に沿わせて、長孔３６ａ（係止部）が係合部４１に至るまで、他端部３２が側面１ｄ上を移動させられるので、簡単な操作により支持脚３０を機器本体１ａから着脱させることができる。
【００４６】
また、上記実施形態によると、支持脚３０の他端部３２と一端部３１とにガイド孔３５が設けられることによって、支持脚３０の他端部３２と一端部３１の取り付け方向にこだわることなく、支持脚３０が側面１ｄに取り付けられるので、支持脚３０を機器本体１ａに取り付ける操作性がよい。
【００４７】
また、上記実施形態によると、画像形成装置１において、上記の転倒防止装置を備えるようにすれば、簡単な構成で、容易に機器本体１ａに取り付けられ、確実に転倒を防止することが可能である画像形成装置１を提供することができる。
【００４８】
また、上記実施形態によると、画像形成装置１において、側面１ｄを覆う外装カバー１ｅが設けられることによって、転倒防止装置が装置の外部に露出する部分が少なくなるので、装置の外観を損なうことなく、転倒防止装置を設置することができる。
【産業上の利用可能性】
【００４９】
本発明は、機器の転倒防止装置及びそれを備えた複写機、プリンタ、ファクシミリ、それらの複合機等の画像形成装置に利用することができる。
【図面の簡単な説明】
【００５０】
【図１】は、本発明の実施形態にかかる画像形成装置の全体構成を概略的に示す断面正面図である。
【図２】は、本発明の実施形態にかかる転倒防止装置を取り付けた画像形成装置を概略的に示す斜視図である。
【図３】は、本発明の実施形態にかかる転倒防止装置を示す斜視図である。
【図４】は、本発明の実施形態にかかる転倒防止装置を示す側面図（ａ）と断面正面図（ｂ）である。
【図５】は、本発明の別実施形態にかかる機器移動状態の転倒防止装置を示す側面図である。
【図６】は、本発明の別実施形態にかかるボルト締結した転倒防止装置を示す斜視図である。
【図７】は、本発明の別実施形態にかかる吸盤止めした転倒防止装置を示す斜視図である。
【図８】は、本発明の別実施形態にかかる突起片を備えた転倒防止装置を示す断面正面図（ａ）と側面図（ａ）である。
【符号の説明】
【００５１】
１    画像形成装置
１ａ    機器本体
１ｂ    底面
１ｄ    側面
１ｅ    外装カバー
２１    キャスタ
３０    支持脚
３１    一端部
３２    他端部
３３    連接部
３４    リブ
３５    ガイド孔
３６    長孔
３６ａ    長孔（係止部）
３６ｂ    長孔 （ガイド部）
３７    着脱孔
４０    突起片
４１    係合部
４２    ツバ部
４３    スリット
４５    ボルト
４６    吸盤
【図１】
2009157152.tif 000003
【図２】
2009157152.tif 000004
【図３】
2009157152.tif 000005
【図４】
2009157152.tif 000006
【図５】
2009157152.tif 000007
【図６】
2009157152.tif 000008
【図７】
2009157152.tif 000009
【図８】
2009157152.tif 000010